(57)【特許請求の範囲】
【請求項１】
浴水を浴槽と清浄化機構の間を循環させて浄化する浴水清浄化装置において、
前記浴水を導入して所定温度に加熱し、保温しつつ、蓄えるための手段と、
該蓄えるための手段からの所定温度の湯を浴槽に供給するための手段と、
前記浴水の温度を検出するための手段と、
該検出するための手段により検出される浴水温度が所定温度以下になった時に、前記供給するための手段に前記蓄えた所定温度以上の蓄湯を供給させるための手段と、
前記清浄化機構が停止の時、前記蓄えるための手段における加熱を禁止するための手段と、
を備えたことを特徴とする浴水浄化装置。
【請求項２】
浴水を浴槽と清浄化機構の間を循環させて浄化する浴水清浄化装置において、
前記浴水温度を所定温度に保温するか否かを選択するための手段と、
前記浴水を導入して所定温度に加熱し、保温しつつ、蓄えるための手段と、
該蓄えるための手段からの所定温度の湯を浴槽に供給するための手段と、
前記浴水の温度を検出するための手段と、
前記選択するための手段により浴水の保温が選択されている場合、該検出するための手段により検出される浴水温度が所定温度以下になった時に、前記供給するための手段に前記蓄えた所定温度以上の蓄湯を供給させるための手段と、
前記選択するための手段により浴水の保温が選択されていない場合、前記蓄えるための手段における加熱を禁止するための手段と、
を備えたことを特徴とする浴水浄化装置。
【請求項３】
前記蓄えるための手段における加熱が深夜電力による蓄熱ヒータにより行われ、所定の通電開始時刻に該蓄熱ヒータに通電し、所定の通電停止時刻に通電を停止し、
前期加熱を禁止するための手段が、該蓄熱ヒータの通電を禁止する、
請求項１または２に記載の浴水浄化装置。
【請求項４】
浴水を浴槽と清浄化機構の間を循環させて浄化する浴水清浄化装置において、
前記浴水を導入して所定温度に加熱し、保温しつつ、蓄えるための手段と、
該蓄えるための手段からの所定温度の湯を浴槽に供給するための手段と、
前記浴水の温度を検出するための手段と、
該検出するための手段により検出される浴水温度が所定温度以下になった時に、前記供給するための手段に前記蓄えた所定温度以上の蓄湯を供給させるための手段と、を備え、
前記蓄えるための手段が、該蓄えた湯の過去の使用量に対応した所定温度に加熱し、保温する、
ことを特徴とする浴水浄化装置。
【発明の詳細な説明】
【０００１】
【発明の属する技術分野】
この発明は浴水浄化装置に関する。
浴槽の湯を汲み上げて所定の浄化機構に通した上で、再び浴槽に戻す行程を繰り返して、浴槽の湯を絶えず清浄に保つ浴水浄化装置が近年広く普及している。
このような浴水浄化装置においては、循環ポンプにより浴水を強制的に循環させ、活性炭等によるろ過やオゾン等による殺菌を行うと同時に電気ヒータにより所定の温度を保つようになっているのが普通である。
【０００２】
【発明が解決しようとする課題】
しかし従来の浄化装置では、湯を適温に保つために電気ヒータにより常に加熱を行っている必要があり、ランニングコストが高価になる問題があった。
本発明は上記した従来技術の問題点を解決することを目的とする。
【０００３】
【課題を解決するための手段】
上記目的を達成するために本発明は、浴水を浴槽と清浄化機構の間を循環させて浄化する浴水清浄化装置において、前記浴水を導入して所定温度に加熱し、保温しつつ、蓄えるための手段と、該蓄えるための手段からの所定温度の湯を浴槽に供給するための手段と、前記浴水の温度を検出するための手段と、該検出するための手段により検出される浴水温度が所定温度以下になった時に、前記供給するための手段に前記蓄えた所定温度以上の蓄湯を供給させるための手段と、前記清浄化機構が停止の時、前記蓄えるための手段における加熱を禁止するための手段と、を備えたことを特徴とする。
上記構成において、前記蓄えるための手段は、適当なときに加熱動作を実行して、該加熱された湯を保温しつつ蓄えるため、例えば深夜電力などを利用することができ、加熱に要するコストを低減できる。また、太陽熱等を利用することも可能であり、常に加熱を行う必要がないから、熱源の選択の幅が大きくなり、加熱コストを低減することが可能になる。しかも、清浄化機構が停止しているときには、蓄えるための手段における加熱を禁止するから、清浄化機構の停止により浴水の交換等が必要になった場合にも、加熱された湯を捨てる等の無駄を省くことができる。
また、浴水温度を所定温度に保温するか否かを選択するための手段を設けることも可能であり、この場合浴水の保温が選択されていない場合には、前記蓄えるための手段における加熱を禁止するようにすることにより、不要な加熱を防止でき、加熱コストの低減を図ることが可能になる。
更に蓄えるための手段は、浴水を加熱するに際し、加熱し蓄えた湯の使用量に応じて、加熱温度を変えるようにすることが望ましい。例えば昨日の蓄湯の使用量に対応して、加熱温度を変更することにより、無駄な加熱を避けることが可能になる。
【０００４】
【発明の実施の形態】
以下本発明の実施の形態を図面に基づいて説明する。
図１において、本体１は通常屋外に設置され、浴槽２とは、入水管３、出水管４によりつながっている。使用者は浴室の壁面に取り付けられたリモコン５により、運転、停止及び浴水の保温を行うか否かの選択、浴水の保温温度の設定等を行うようになっている。リモコン５は、本体内の制御ボード６とコードにより接続されており、本体内の運転状態・湯温・時刻・各種警告等の表示を行うようになっている。入水管３の先の浴槽内には、プレフィルター７を内蔵した吸水口８が接続され、髪の毛等を取り除いた浴水が本体に吸い込まれるようになっている。入水管３の他方の本体内には、循環ポンプ９が取り付けられ、また入水管３の途中には、循環ポンプ停止時に本体内の浴水が浴槽内に戻らないように、水用逆止弁１０が取り付けられている。循環ポンプ９出水側にて流路が２方向に分かれ、一方は絞り１１を介して、濾過材タンク１２へ、他方は蓄熱槽１３の下部の入水側に、ホースでつながれている。濾過材タンク１２の中には、セラミックボール・活性炭等の濾過材１５が入っており、浴水の浄化を行う。濾過材が長期の使用で目詰まりした場合、タンク蓋１６を開けて、濾過材を取り出し、水道水にて手洗いできるようになっている。濾過材タンク１２の出水側は、ミキシングバルブ１７の一方の入水側にホースでつながれている。
【０００５】
なお循環ポンプ９には並列に水不足センサ１４が設けられ、浴水の水位低下を検出できるようになっている。この水不足センサ１４は循環ポンプ９の差圧を検知する方式のもので、一方のチューブは循環ポンプ９入水側に、他方のチューブは循環ポンプ９出水側に接続されている。
【０００６】
蓄熱槽１３には下部に蓄熱ヒータ１８と蓄熱槽下部湯温センサ１９が装着されており、深夜電力を利用して、槽内の浴水を下記のように決められた所定の温度に加熱し熱水にする。尚、浴水（４０°Ｃ程度）と熱水は密度が異なるため、蓄熱槽１３に入った浴水分だけ熱水が蓄熱槽１３から出ていき、蓄熱槽１３内で浴水と熱水は混合しない。蓄熱槽１３上部はミキシングバルブ１７の他方の入水側とホースにて接続されている。ミキシングバルブ１７は、濾過材タンク１２を通った浴水と蓄熱槽１３上部より出てきた熱水を、内部の弁を調節して、適切な所定の湯温にして、ジェットノズル２１より浴槽２に吐出させるようになっている。
ミキシングバルブ１７は後記するように制御ボード６により制御されており、その開時間も計時され、蓄熱ヒータ１８の稼動時間の決定に用いられるようになっている。
【０００７】
蓄熱槽１３における加熱すべき所定の温度の演算手順の一例について説明する。
いま次の条件を仮定する。
蓄熱槽１３の容量                              ：１００Ｌ
Ａ日の蓄熱槽１３内の加熱温度                  ：８５°Ｃ
Ａ日のミキシングバルブ１７の動作（開放）時間  ：９０分
ミキシングバルブ１７が１分間動作したときの高温水の混入量：１Ｌ
Ａ日の保温設定温度                            ：４２°Ｃ
上記条件で、Ａ日の翌日（Ａ＋１）日の蓄熱温度を演算する。
１Ｌの水を１°Ｃ上昇させるために必要な熱量は１Kcalであるので、保温に利用可能な蓄熱量は、
（８５−４２）［°Ｃ］  ×  １００［Ｌ］  ＝  ４３００［Kcal］
Ａ日の保温に使用した熱量は、
（８５−４２）［°Ｃ］  ×  ９０［Ｌ］    ＝  ３８７０［Kcal］
使用しなかった熱量は、
４３００  −  ３８７０  ＝  ４３０［Kcal］
従って、（Ａ＋１）日に必要な熱量はＡ日より４３０［Kcal］少なくてよいことになる。これは蓄熱温度が、
４３０［Kcal］  ／  １００［Ｌ］  ＝  ４．３［°Ｃ］
低くて良いことを示し、
（Ａ＋１）日の蓄熱温度は、
８５［°Ｃ］  −  ４．３［°Ｃ］  ＝  ８０．７［°Ｃ］
となる。
実際には入浴条件や入浴者数にばらつきがあるため、上記の温度に余裕を持たせるか、或いは数日間の平均値によって、数日毎に蓄熱温度を変更する等の処理を行うのが好ましい。
【０００８】
前記制御ボード６には加熱禁止指定装置２６が設けられており、清浄化機構が停止している時には蓄熱槽１３における蓄熱ヒータ１８の稼働を禁止して、加熱を行わないように構成している。
清浄化機構、即ち吸水口８、循環ポンプ９、濾過材タンク１２、ジェットノズル２１の循環機構は種々の理由により停止するようになっている。例えば、前記した水不足センサ１４からの水不足の信号や水不足センサ１４自体の異常、或いはミキシングバルブ１７の異常等により循環ポンプ９を停止するように構成されている。また、使用者がリモコン５により任意に停止できるようになっている。このように清浄化機構を停止した場合、浴水の循環濾過が行われないから、浴水に濁りや悪臭が発生し、水替えを行う必要がでてくる。この場合、蓄熱槽１３で加熱した高温の浴水も替える必要があり、蓄熱槽１３での加熱が無駄になる。加熱禁止指定装置２６は清浄化機構が停止した場合には、蓄熱ヒータ１８の稼働を禁止して、加熱を行わないようにし、エネルギの無駄を省くようにしたものである。
またリモコン５により使用者が浴水の保温を行わないように設定した場合には、同様に加熱禁止指定装置２６は蓄熱ヒータ１８の稼働を禁止して、加熱を行わないようになっている。この構成により、浴水の保温を行わない時に、蓄熱槽１３に高温の湯を常に蓄えるための余分なエネルギの消費を防止できる。
【０００９】
入水管３には、入水側湯温センサ２０が取り付けられており、使用者が設定した保温温度より、入水側湯温センサ２０で検知した浴水温度が下がった場合は、ミキシングバルブ１７により浴水と熱水を混合して浴槽に吐出し、浴水温度が保温温度より所定値（０．５°Ｃ程度）上回ったら、浴水のみを浴槽に吐出する。これはミキシングバルブ１７の弁を制御ボード６により制御することにより実行される。弁は、パルスモータ等で制御され、図２に示すようにその初期位相を決定するための位相検知センサが内蔵されている。
【００１０】
ミキシングバルブ１７の吐出側は、出水管４を経由してジェットノズル２１につながっている。吐出される浴水の温度を検知するため、ミキシングバルブ１７吐出側近くに、出水側湯温センサ２２が取り付けられている。この出水側湯温センサ２２はミキシングバルブ１７等が不具合となって熱水がジェットノズル２１から吐出される事故を防ぐ為に用いられ、高温（５５°Ｃ程度）の温度を検知したら、循環ポンプ９を止めるようにしている。
【００１１】
ジェット用電磁弁２３、オゾン発生器２４がジェットノズル２１にエアーチューブ２５を介して接続され、入浴時以外のクリーン運転中には、ジェット用電磁弁２３とオゾン発生器２４をオンして、オゾンの混じった空気をジェットノズル２１より出して、浴水を殺菌するようになっている。入浴時は、オゾン発生器２４をオフし、リモコン５のジェットキーによりジェット用電磁弁２３をオンオフして、ジェット有り無しを選べるようにしている。ジェットノズル２１は、内径を細くして空気が混入するようになっている。
【００１２】
図２に電気ブロック図を示す。
リモコン５は、本体１内の制御ボード６とは通信コード１０１により接続されており、通信インターフェース１０２を介して、ＣＰＵ１０３に接続されている。ＣＰＵ１０３はＲＯＭ、ＲＡＭを内蔵したワンチップマイコンである。キー１０４と制御ボード内のＣＰＵ２０１からの情報により、ドライバ１０５を介して、ＬＣＤ１０６、ＬＥＤ１０７に所定の表示をすると共に、ブザー１０８を鳴らす。キー１０４には、運転キー、ジェットキー、入浴キー、保温を行うか否か選択する保温キー、及びその保温温度設定キー等がある。
【００１３】
本体内の制御ボード６には、前述した水不足センサ１４、入水側湯温センサ２０、出水側湯温センサ２２、蓄熱槽下部湯温センサ１９、ミキシングバルブ１７の位相検知センサ等と、出力装置である蓄熱ヒータ１８、循環ポンプ９、殺菌装置であるオゾン発生器２４、ジェット用電磁弁２３、ミキシングバルブ１７等がリレーやドライバ等を介して接続されている。そしてＡＣ１００Ｖ交流電源側漏電ブレーカ２０２を経由したＡＣ１００Ｖ、トランス２０３及びＡＣ２００Ｖ深夜電力側漏電ブレーカ２０４が接続されている。
【００１４】
次に制御ボード６内の説明を行う。
直流電源２０５はトランス２次電圧を受け、回路電圧Ｖｃｃ（＋５Ｖ）、殺菌装置やジェット用電磁弁の電源であるＶｄ（＋１２Ｖ）、ミキシングバルブ１７のステッピングモータの電源であるＶｂ（＋３６Ｖ）を発生している。リモコン５側からの通信コード１０１は、通信インタフェース２０６を介して、ＣＰＵ２０１に接続され、リモコン側のＣＰＵ１０３と情報交換を行うようになっている。各湯温センサ２０、２２、１９は、必要とする温度範囲にわたって電圧が変化するように、電圧変換器２０７を経由してＣＰＵ２０１のＡＤ入力端子につながっている。
【００１５】
通電開始検知器２０８は、深夜電力ＡＣ２００Ｖの通電開始を検知し、ドライバ２０９により、蓄熱用ヒータリレー２１０を制御する構成となっており、通電開始を検知（午後１１時）するとその時の蓄熱槽下部湯温センサ１９からの蓄熱槽１３下部の湯温を調べて、蓄熱槽内の湯を前記した手順で算出した所定温度まで沸きあげるのに必要な通電時間を算出して、リレー２１０のオン時間Ｔを決定するようになっている。蓄熱槽１３内に熱水が残っていなく、全て、蓄熱槽１３下部と同じ湯温であるならば、午後１１時より（８−Ｔ）時間遅れてリレー２１０はオンし、その後は蓄熱槽下部湯温センサ１９が所定温度を検出するまで蓄熱ヒータ１８は通電される。
【００１６】
リモコン５内の運転キーを押して、運転モードにすると、リレー２１１がオンして循環ポンプ９が通電され、浴水を循環する。通常は、ドライバ２１２をオンしてオゾン発生器２４を動作させて浴水を殺菌しているが、リモコン内の入浴キーを押すと入浴モードとなり、１時間の間ドライバ２１２をオフして殺菌装置を止め、使用者がオゾンをかがないようにしている。
【００１７】
入浴モード中、ジェットキーを押すとドライバ２１３がオンしてジェット用電磁弁２３に通電し、空気をジェットノズルに与え泡のある水流を楽しめるようになっている。そしてもう１度押すとドライバ２１３はオフして、泡のない水流となる。なお、入浴キーを押して１時間以降はクリーンモードに自動的に替わり、ドライバ２１２、ドライバ２１３がオンしてオゾンの混じった空気がジェットノズルに与えられ、浴水が殺菌される。
【００１８】
電源投入時にミキシングバルブ１７内のモータを動かし、位相検知センサの信号を受けて初期セットする。循環ポンプ９運転中は、リモコン内の温度設定キーにより設定された保温温度と、入水側湯温センサ２０の検知温度を比較し、ミキシングバルブ１７内のモータを動かし、弁を調節して浴水温度を保温温度〜保温温度＋０．５°Ｃの範囲に制御するように構成されている。
【００１９】
ＣＰＵ２０１内には加熱禁止指定装置２６がソフト的に構成されており、水不足センサ１４からの信号により、水不足の場合に、蓄熱ヒータ１８の通電禁止のフラグをセットするようになっている。
水不足センサ１４は前記したように、浴水が所定レベルより減少した時や循環ポンプ９が停止して入水側と出水側に差圧がなくなった時にその旨の信号を出力するから、清浄化機構の停止は水不足センサ１４により検出可能である。
なお、云うまでもなく他のどのような信号を用いることも可能である。
【００２０】
また、キー１０４により使用者が浴水の保温を行わないように設定した場合には、同様に蓄熱ヒータ１８通電禁止のフラグを設定して、加熱を禁止するようになっている。
【００２１】
なお、２１６はＥＥＰＲＯＭで使用者の設定した保温温度や運転モード等の設定値を記憶しており、停電後の再通電時に再設定しなくても済むようにしている。
【００２２】
図３により装置の全体的な動作フローを説明する。
最初にＣＰＵ２０１の蓄熱ヒータ１８通電禁止フラグ等をリセットして初期状態とし（ステップＳ１０）、ＥＥＰＲＯＭ２１６から設定条件を読み出す（ステップＳ１１）。そして浴水の清浄化制御を実行し（ステップＳ１２）、運転モードが浴水の保温モードであれば（ステップＳ１３）、温度コントロールの制御を行う（ステップＳ１４）。そして蓄熱ヒータ１８の制御を実行する（ステップＳ１５）。
【００２３】
図４により浄化制御の動作を説明する。
最初にリモコン５のキーの処理を行う（ステップＳ２１）。キーが押されなかった場合はステップＳ２２へ移る。
ステップＳ２２で運転モードかどうか調べ（ステップＳ２２）、そうでなければ何もせず処理は終る。運転モードの場合は水不足センサ１４を調べ（ステップＳ２３）、オンであれば正常なのでステップＳ２８へ移行する。オフであれば水不足なので、リモコンのＬＣＤに水不足表示すると共に蓄熱ヒータ通電禁止フラグをセットする（ステップＳ２５）。同時に循環ポンプ９を止め（ステップＳ２６）、停止モードにして終了する（ステップＳ２７）。
ステップＳ２８においてクリーンモード１時間後と毎日１４：００（ステップＳ２９）に水水不足センサ１４が異常でないかを調べる。即ちまず循環ポンプ９を止め（ステップＳ３０）、水不足センサ１４がオフであれば（ステップＳ３１）、正常であるので循環ポンプ９を再運転して処理を終る（ステップＳ３５）。
循環ポンプ９は停止しているのに水不足センサ１４がオンであれば、水不足センサ１４異常表示をリモコンのＬＣＤに表示する（ステップＳ３２）。そして蓄熱ヒータ通電禁止フラグをセットし（ステップＳ３３）、停止モードにして処理を終る（ステップＳ３４）。
【００２４】
ステップＳ２１で運転キーが押された場合は、運転モードか調べ（ステップＳ３６）、現在運転モードであれば運転の停止指令と判断し、循環ポンプ９を停止し（ステップＳ３７）、停止モードにする（ステップＳ３８）と共に蓄熱ヒータ通電禁止フラグをセットして処理を終る（ステップＳ３９）。
現在運転モードでない時は、過去に水不足センサ１４が異常表示していたか（ステップＳ４１）、ミキシングバルブ１７が異常表示していた場合は、（ステップＳ４２）、その状態を維持し何も処理しないで終る。使用者の修理を待つ。
過去に異常がなかった場合は、循環ポンプ９を運転開始し（ステップＳ４３）、運転モードにする（ステップＳ４４）。そして、キー１０４の保温キーにより保温を選択されたか否か調べ（ステップＳ４５）、保温が選択されていなければ蓄熱ヒータ通電禁止フラグをセットし（ステップＳ４６）、保温が選択されていれば、蓄熱ヒータ通電禁止フラグをリセットして処理を終る（ステップＳ４７）。
なおその他のキーが押された場合はそのキーに対応する処理を行う（ステップＳ４０）。
以上の動作により清浄化機構が稼働していない時は、蓄熱ヒータ通電禁止フラグがセットされ、蓄熱槽１３における加熱を禁止できる。
【００２５】
図５により温度コントロールの動作を説明する。
最初に、入水側湯温センサ２０を調べる（ステップＳ５０）。この場合、センサーの抵抗値の変化をマイコン内のＡＤ変換回路を通し、デジタル値に変換して取り込む。ショートつまりセンサー抵抗値小、オープンつまり抵抗値大の場合は想定している抵抗値の範囲を越えていると判定し、リード線部でショートしたかリード線が断線したものとして、入水側湯温センサ２０異常表示をリモコンのＬＣＤに表示する（ステップＳ５２）と共に蓄熱ヒータ通電禁止フラグをセットし（ステップＳ５３）、ステップＳ５６へ移って浴水の保温制御はせず、浄化のみ行う。
ステップＳ５１でＮＯであればリモコン５の温度設定キーで過去に使用者が設定した保温温度と入水側湯温とを比較する（ステップＳ５４）。
保温温度より低かった場合は、ミキシングバルブ１７のモータを動かし熱水側を開く（ステップＳ５５）。保温温度＋０．５°Ｃより高かった場合は、ミキシングバルブ１７のモータを動かし、熱水側を閉じる（ステップＳ５６）。このミキシングバルブ１７の開時間はＣＰＵ２０１により計測される。保温温度から保温温度＋０．５°Ｃの間であった場合何も処理せず終る。
そしてミキシングバルブ１７がステップＳ５５又はＳ５６で指定した位相まで動いたか調べ（ステップＳ５７）、そうであれば処理を終る。そうでなければミキシングバルブ１７異常表示をリモコンのＬＣＤに表示し（ステップＳ５８）、蓄熱ヒータ通電禁止フラグをセットし（ステップＳ５９）、循環ポンプ９を停止し（ステップＳ６０）、停止モードにして処理を終る（ステップＳ６１）。
以上の動作により、蓄熱槽１３の熱水を混合することにより、常に浴水を所望の温度に保つことができる。
また入水側湯温センサ２０やミキシングバルブ１７の異常をチェックし、異常があればミキシングバルブ１７の熱水側を閉じたり、或いは、循環ポンプ９を停止し、蓄熱ヒータ１８による加熱も停止するため、安全を図れる上、無駄な加熱も避けることができる。
【００２６】
図６により蓄熱ヒータ１８の制御を説明する。
通電開始検知器２０８により２００Ｖの通電開始を調べる（ステップＳ７０）。開始でなければステップＳ７５へすすむ。開始であれば前記したように前日の蓄湯の使用量に応じて演算した所定温度と、蓄熱槽下部湯温センサ１９の検知温度とから、所用熱量、所用通電時間、及び通電開始時刻を算出する（ステップＳ７１、７２、７３、７４）。そしてステップＳ７４で求めた通電開始時刻になったか調べ（ステップＳ７５）、なっていなければステップＳ７７へパスする。
通電開始時刻になっていれば、蓄熱用ヒータリレー２１０をオンする（ステップＳ７６）。そして蓄熱槽下部湯温センサ１９を調べ、ステップＳ７１で確認した、沸き上がり温度になったか調べ（ステップＳ７７）、ＹＥＳであれば蓄熱用ヒータリレー２１０をオフする（ステップＳ７８）。ＮＯであれば深夜電力通電終了したか調べ（ステップＳ７９）、終了していればステップＳ７８で、蓄熱用ヒータリレー２１０をオフする。終了していない場合、蓄熱ヒータ通電禁止フラグを調べ、セットされていれば、ステップＳ７８で蓄熱用ヒータリレー２１０をオフする。
上記構成において、蓄熱ヒータ通電禁止フラグがセットされている時は、蓄熱ヒータ１８を稼働せず、蓄熱槽１３における加熱は行わないから、極めて経済的である。
【００２７】
以上の構成により、浴水の温度は所定の温度に維持される。蓄熱槽１３における加熱は常に行う必要はなく、この実施形態のように深夜電力で良いから、加熱に掛かる費用を低減できる。また、水不足センサ１４により清浄化機構の停止が検出されると、蓄熱ヒータ１８による加熱を禁止するから、余分な加熱に伴うコストロスを回避できる。また、使用者が浴水の保温を選択しなかった時にも、蓄熱ヒータ１８による加熱が禁止され、コスト低減を図ることができる。
更に、水不足センサ１４自体の異常や、ミキシングバルブ１７自体の異常或いは入水側湯温センサ２０自体の異常を検出し、これらに異常がある時も、蓄熱ヒータ１８による加熱を禁止するから、無駄な加熱を避けることができ、危険の防止にも役立つ。
更に蓄熱槽１３の加熱は、前日の蓄湯の使用量に応じて行われるから、無駄な加熱を避けることができる。
【００２８】
【発明の効果】
以上説明したように本発明の浴水浄化装置によれば、蓄えるための手段においては常に加熱する必要がなく、加熱熱源として深夜電力や太陽熱等を利用できるから、加熱に要する費用を低減でき、ランニングコストを下げることが可能になる。また加熱温度も使用量に応じて決定されるから、無駄な加熱が行われることがない。また、清浄化機構が停止している時や、浴水の保温を選択していない時には、蓄える手段における加熱を行われないため、ランニングコストの低減を図ることが可能である。
【図面の簡単な説明】
【図１】本発明の一実施形態を示す概略ブロック図。
【図２】本発明の一実施形態における、本体１、リモコン５、制御ボード６の構成を示すブロック図。
【図３】本発明の一実施形態の動作を説明するフローチャート図。
【図４】本発明の一実施形態の動作を説明するフローチャート図。
【図５】本発明の一実施形態の動作を説明するフローチャート図。
【図６】本発明の一実施形態の動作を説明するフローチャート図。
【符号の説明】
１：本体、２：浴槽、３：入水管、４：出水管、５：リモコン、６：制御ボード、７：プレフィルター、８：吸水口、９：循環ポンプ、１０：水用逆止弁、１１：絞り、１２：濾過材タンク、１３：蓄熱槽、１４：水不足センサ、１５：濾過材、１６：タンク蓋、１７：ミキシングバルブ、１８：蓄熱ヒータ、１９：蓄熱槽下部湯温センサ、２０：入水側湯温センサ、２１：ジェットノズル、２２：出水側湯温センサ、２３：ジェット用電磁弁、２４：オゾン発生器、２５：エアーチューブ、２６：加熱禁止指定装置、１０１：通信コード、１０２：通信インターフェース、１０３：ＣＰＵ、１０４：キー、１０５：ドライバ、１０６：ＬＣＤ、１０７：ＬＥＤ、１０８：ブザー、２０１：ＣＰＵ、２０２：漏電ブレーカ、２０３：トランス、２０４：漏電ブレーカ、２０５：直流電源、２０６：通信インタフェース、２０７：電圧変換器、２０８：通電開始検知器、２０９：ドライバ、２１０：蓄熱用ヒータリレー、２１１：リレー、２１２：ドライバ、２１３：ドライバ、２１４：ドライバ、２１５：波形整形回路、２１６：ＥＥＰＲＯＭ。
【図１】
0003694095.tif 000002
【図２】
0003694095.tif 000003
【図３】
0003694095.tif 000004
【図４】
0003694095.tif 000005
【図５】
0003694095.tif 000006
【図６】
0003694095.tif 000007